(57)【要約】【課題】画像処理装置が行うべき動作を容易に命令できるようにし、設定操作にかかる手間、時間を減らす。【解決手段】制御部は、取得画像データが第１種類画像と第２種類画像を含むか否かを判定する。取得画像データに第１種類画像と第２種類画像が含まれている場合、制御部は、第１種類画像に対応する画像処理を取得画像データに行ってジョブ実行用画像データを生成する。制御部は、生成したジョブ実行用画像データに基づき、第２種類画像に対応するジョブをジョブ実行部に行わせる。【選択図】図５
2020057921.tif 000002
【特許請求の範囲】
【請求項１】
画像データを取得するための取得部と、
ジョブを実行するジョブ実行部と、
第１定義データと第２定義データを記憶する記憶部と、
前記第１定義データと前記第２定義データに基づき、前記取得部が取得した取得画像データが第１種類画像と第２種類画像を含むか否かを判定する制御部と、を含み、
前記第１定義データは、第１種類画像のデータと、前記第１種類画像に対応する画像処理を定義したデータであり、
前記第２定義データは、第２種類画像のデータと、前記第２種類画像に対応するジョブの種類を定義したデータであり、
前記取得画像データに前記第１種類画像と前記第２種類画像が含まれている場合、
前記制御部は、
前記第１種類画像に対応する画像処理を前記取得画像データに行ってジョブ実行用画像データを生成し、
生成した前記ジョブ実行用画像データに基づき、前記第２種類画像に対応するジョブを前記ジョブ実行部に行わせることを特徴とする画像処理装置。
【請求項２】
前記記憶部は前記ジョブ実行部であり、
前記記憶部は、保存先を指定する保存先記号と、前記保存先記号に対応する保存場所のアドレスを記憶し、
前記取得画像データが保存ジョブに対応する前記第２種類画像を含む場合、
前記制御部は、
前記取得画像データに含まれる前記第２種類画像が前記保存先記号を含むとき、前記ジョブ実行用画像データを前記保存先記号に対応する保存場所に保存させ、
前記取得画像データに含まれる前記第２種類画像が前記保存先記号を含まないとき、予め定められたデフォルトの保存場所に前記ジョブ実行用画像データの保存させることを特徴とする請求項１に記載の画像処理装置。
【請求項３】
前記ジョブ実行部として通信部を含み、
前記記憶部は、送信先を示す送信先記号と、前記送信先記号に対応する送信先アドレスを記憶し、
前記取得画像データが送信ジョブに対応する前記第２種類画像を含む場合、
前記制御部は、
前記取得画像データに含まれる前記第２種類画像が前記送信先記号を含むとき、前記送信先記号に対応する前記送信先アドレスを宛先として、前記ジョブ実行用画像データを前記通信部に送信させ、
前記取得画像データに含まれる前記第２種類画像が前記送信先記号を含まないとき、予め定められたデフォルトの送信先に向けて、前記ジョブ実行用画像データを通信部に送信させることを特徴とする請求項１又は２に記載の画像処理装置。
【請求項４】
前記ジョブ実行部として印刷部を含み、
前記取得画像データがプリントジョブに対応する前記第２種類画像を含む場合、
前記制御部は、
前記取得画像データに含まれる前記第２種類画像に印刷部数を示す部数値が含まれているとき、前記ジョブ実行用画像データに基づき前記部数値の部数の印刷を前記印刷部に行わせ、
前記取得画像データに含まれる前記第２種類画像に前記部数値が含まれていないとき、前記ジョブ実行用画像データに基づき１部の印刷を前記印刷部に行わせることを特徴とする請求項１乃至３の何れか１項に記載の画像処理装置。
【請求項５】
前記制御部は、
前記取得画像データに含まれる前記第１種類画像が処理用数値を含むとき、前記処理用数値を適用した画像処理を前記取得画像データに施し、
前記取得画像データに含まれる前記第１種類画像が前記処理用数値を含まないとき、予め定められたデフォルトの処理内容の画像処理を行うことを特徴とする請求項１乃至３の何れか１項に記載の画像処理装置。
【請求項６】
前記第１種類画像と前記第２種類画像に基づきジョブを行うマーク利用モードを利用するか否かの選択を受け付ける操作パネルを含み、
前記制御部は、
前記マーク利用モードを利用する選択がなされているとき、前記第１種類画像に対応する画像処理を前記取得画像データに行ってジョブ実行用画像データを生成し、
生成した前記ジョブ実行用画像データに基づき、前記第２種類画像に対応するジョブを前記ジョブ実行部に行わせ、
前記マーク利用モードを利用しない選択がなされているとき、前記取得画像データが前記第１種類画像と前記第２種類画像を含むか否かを判定しないことを特徴とする請求項１乃至５の何れか１項に記載の画像処理装置。
【請求項７】
前記制御部は、
前記取得画像データが、モード開始画像を含むか否かを判定し、
前記モード開始画像を含むとき、マーク利用モードの処理を開始し、
前記マーク利用モードでは、前記第１種類画像に対応する画像処理を行って前記ジョブ実行用画像データを生成し、
生成した前記ジョブ実行用画像データに基づき、前記第２種類画像に対応するジョブを前記ジョブ実行部に行わせることを特徴とする請求項１乃至６の何れか１項に記載の画像処理装置。
【請求項８】
表示パネルを含み、
前記取得画像データが前記第１種類画像と前記第２種類画像の何れか一方、又は、両方を含まない場合、
前記制御部は、前記取得画像データの再取得を促す警告を前記表示パネルに表示させることを特徴とする請求項１乃至７の何れか１項に記載の画像処理装置。
【発明の詳細な説明】
【技術分野】
【０００１】
本発明は、画像データに基づきジョブを実行する画像処理装置に関する。
【背景技術】
【０００２】
画像処理装置には、原稿を読み取り、画像データを処理してジョブを実行するものがある。ジョブの種類としては、例えば、印刷がある。このような画像処理装置には、例えば、複合機、プリンター、ファクシミリ装置がある。使用者が原稿に手書きで書き込みをすることがある。例えば、チェックマークやアンダーラインが原稿に書き込まれる。特許文献１には、手書き部分をわかりやすくする画像処理を、原稿に基づく画像データに施す画像処理装置の一例が記載されている。
【０００３】
具体的に特許文献１には、手書きによる文字又は図形が含まれた原稿を読み取り、得られた画像データの処理を行い、画像データに基づき、手書き領域の色相が手書き領域を囲む外側領域の色相と同一又は類似であるかを判定し、判定結果に基づき、画像データに対し、手書きによる文字又は図形からなる手書き領域の縁部又は手書き領域に隣接する所定範囲の色相、彩度又は明度の調整を行う画像処理装置が記載されている。手書き領域を視認しやすくしようとする（特許文献１：請求項１、請求項２、段落［００２４］）。
【先行技術文献】
【特許文献】
【０００４】
【特許文献１】特開２００９−１０５４９２号公報
【発明の概要】
【発明が解決しようとする課題】
【０００５】
高機能化のため、近年、画像処理装置では、利用できる画像処理の種類が多数に及んでいる。設定できる項目、設定が多いので、画像処理装置の動作設定操作は複雑になっている。例えば、利用できる多数の画像処理の中から、使用する画像処理を選択しなければならない。また、利用する画像処理では、細かな設定が必要な場合もある。さらに、画像処理装置に設けられた操作パネルだけではなく、画像処理装置と通信できるＰＣや携帯通信装置でも設定できるようにすることがある。操作する装置ごとに操作方法を覚える必要がある。このように、画像処理装置を使用するとき、所望の結果を得るための設定操作が複雑になっており、手間、時間がかかるという問題がある。
【０００６】
特許文献１の技術は、手書き部分を見やすくする（強調する）ための技術である。設定操作が複雑なため、操作に手間、時間がかかるという問題には対応することはできない。
【０００７】
本発明は上記課題を解決するため、画像処理装置が行うべき動作を容易に命令できるようにし、設定操作にかかる手間、時間を減らす。
【課題を解決するための手段】
【０００８】
本発明に係る画像処理装置は、取得部、ジョブ実行部、記憶部、制御部を含む。前記取得部は、画像データを取得する。前記ジョブ実行部はジョブを実行する。前記記憶部は、第１定義データと第２定義データを記憶する。前記制御部は、前記第１定義データと前記第２定義データに基づき、前記取得部が取得した取得画像データが第１種類画像と第２種類画像を含むか否かを判定する。前記第１定義データは、第１種類画像のデータと、前記第１種類画像に対応する画像処理を定義したデータである。前記第２定義データは、第２種類画像のデータと、前記第２種類画像に対応するジョブの種類を定義したデータである。前記取得画像データに前記第１種類画像と前記第２種類画像が含まれている場合、前記制御部は、前記第１種類画像に対応する画像処理を前記取得画像データに行ってジョブ実行用画像データを生成する。前記制御部は、生成した前記ジョブ実行用画像データに基づき、前記第２種類画像に対応するジョブを前記ジョブ実行部に行わせる。
【発明の効果】
【０００９】
特定の画像を加えるだけで、容易に行うべき画像処理と実行すべきジョブの種類を画像処理装置に命令することができる。設定操作にかかる手間、時間を減らすことができる。
【図面の簡単な説明】
【００１０】
【図１】実施形態に係る複合機の一例を示す図である。
【図２】実施形態に係る複合機で実行できるジョブの一例を示す図である。
【図３】実施形態に係る第１定義データの一例を示す図である。
【図４】実施形態に係る第２定義データの一例を示す図である。
【図５】実施形態に係る複合機でのマーク使用モードでの処理の一例を示す図である。
【図６】実施形態に係る第１種類画像の一例を示す図である。
【図７】実施形態に係る第１種類画像の一例を示す図である。
【図８】実施形態に係る第１種類画像の一例を示す図である。
【図９】実施形態に係る第１種類画像の一例を示す図である。
【図１０】実施形態に係る第１種類画像の一例を示す図である。
【図１１】実施形態に係る第１種類画像の一例を示す図である。
【図１２】実施形態に係る第１種類画像の一例を示す図である。
【図１３】実施形態に係る第１種類画像の一例を示す図である。
【図１４】実施形態に係る第１種類画像の一例を示す図である。
【図１５】実施形態に係る第２種類画像の一例を示す図である。
【図１６】実施形態に係る保存先定義データの一例を示す図である。
【図１７】実施形態に係る第２種類画像の一例を示す図である。
【図１８】実施形態に係る送信先定義データの一例を示す図である。
【図１９】実施形態に係る第２種類画像の一例を示す図である。
【図２０】図２０は、変形例に係る複合機を説明するための図である。
【発明を実施するための形態】
【００１１】
以下、図１〜図１９を用い、本発明を説明する。以下では、画像処理装置として複合機１００を例に挙げ説明する。画像処理装置は複合機１００に限られない。画像処理装置は、プリンターのような他種の画像形成装置でもよい。なお、本実施の形態に記載されている構成、配置等の各要素は、発明の範囲を限定せず、単なる説明例にすぎない。
【００１２】
（複合機１００）
図１を用いて実施形態に係る複合機１００の一例を説明する。図１は、実施形態に係る複合機１００の一例を示す図である。
【００１３】
複合機１００は制御部１、記憶部２（ジョブ実行部に相当）、画像読取部３（取得部に相当）、操作パネル４、印刷部５（ジョブ実行部に相当）、通信部６（取得部、ジョブ実行部に相当）を含む。
【００１４】
制御部１は複合機１００の動作を制御する。制御部１は、制御回路１１、画像処理回路１２を含む。制御回路１１は、例えば、ＣＰＵである。制御回路１１は、記憶部２に記憶されたプログラム、データに基づき各部（画像読取部３、操作パネル４、印刷部５、通信部６）を制御する。画像処理回路１２は各種画像処理を行う。例えば、画像処理回路１２は、画像処理専用の回路（ＡＳＩＣ）である。
【００１５】
記憶部２は、ＲＯＭ、ストレージ、ＲＡＭを含む。ＲＯＭは、例えば、フラッシュＲＯＭである。ストレージは、ＨＤＤやＳＳＤのような大容量の不揮発性記憶装置である。記憶部２は、各種データ、制御用プログラムを記憶する。例えば、記憶部２は制御用データ、設定データ、画像データを記憶する。
【００１６】
画像読取部３は、原稿を置く原稿台（コンタクトガラス）を含む。原稿の読み取りのとき、制御部１は、原稿台にセットされた原稿を画像読取部３に行わせる。原稿読み取りのため、画像読取部３は、光源（ランプ）、レンズ、イメージセンサー（ラインセンサー）を含む。そして、イメージセンサーの読み取りに基づき、画像読取部３は画像データを生成する。画像読取部３を用いて原稿の画像データを取得することができる。画像読取部３は画像データを取得する取得部として機能する。以下の説明では、画像読取部３の読み取りに基づき取得された画像データを取得画像データ８と称する。
【００１７】
操作パネル４は、表示パネル４１、タッチパネル４２、ハードキー４３を含む。表示パネル４１は、画面、画像を表示する。制御部１は表示パネル４１の表示を制御する。制御部１は、ジョブの設定に用いる操作画像を表示パネル４１に表示させる。操作画像は、例えば、ボタンやキーである。タッチパネル４２は、使用者の操作を受け付ける。タッチパネル４２は、表示パネル４１の上面に設けられる。タッチパネル４２はタッチ位置を認識する。タッチパネル４２の出力に基づき、制御部１は、操作された操作画像を認識する。操作された操作画像に基づき、制御部１は、使用者の操作内容を認識する。ハードキー４３も使用者の操作を受け付ける。
【００１８】
印刷部５は、給紙部５１、用紙搬送部５２、画像形成部５３、定着部５４を含む。給紙部５１に用紙がセットされる。印刷ジョブのとき、制御部１は給紙部５１に用紙を供給させる。制御部１は用紙を用紙搬送部５２に搬送させる。制御部１はラスターデータに基づくトナー像を画像形成部５３に形成させる。制御部１は、搬送用紙へのトナー像の転写を画像形成部５３に行わせる。制御部１は、用紙に転写されたトナー像の定着を定着部５４に行わせる。制御部１は、機外に向けて定着後の用紙を用紙搬送部５２に排出させる。
【００１９】
制御部１は、ネットワークを介してコンピューター２００と通信できる。通信部６はコンピューター２００と通信する。通信部６はコネクター、通信用回路、通信用メモリー、通信ソフトウェアを含む。通信部６はコンピューター２００から画像データを取得することができる。通信部６も画像データを取得する取得部として機能する。以下の説明では、通信部６がした画像データも取得画像データ８と称する。
【００２０】
（複合機１００で実行できるジョブ）
次に、図２を用いて、実施形態に複合機１００で実行できるジョブの種類の一例を説明する。図２は、実施形態に係る複合機１００で実行できるジョブの一例を示す図である。
【００２１】
複合機１００では、複数種類のジョブを実行できる。例えば、複合機１００では、画像読取部３又は通信部６が取得した画像データ（取得画像データ８）に基づき、保存ジョブ、送信ジョブ、プリントジョブを行うことができる。
【００２２】
取得画像データ８に基づきジョブを実行するとき、制御部１（画像処理回路１２）は、取得画像データ８の画像処理を行う。制御部１は、画像処理を行ってジョブ実行用画像データを生成する。生成したジョブ実行用画像データに基づき、制御部１はジョブを実行する。
【００２３】
例えば、保存ジョブのとき、制御部１は、取得画像データ８の画像処理を行う。そして、
制御部１は、画像処理後の取得画像データ８に基づき、保存用のジョブ実行用画像データを生成する。制御部１は、予め定められた保存用のファイル形式のデータをジョブ実行用画像データとして生成する。制御部１は、生成した保存用ファイル（ジョブ実行用画像データ）を、記憶部２に不揮発的に記憶させる。保存ジョブでは、記憶部２がジョブ実行部として機能する。
【００２４】
また、送信ジョブのときも、制御部１（画像処理回路１２）は、取得画像データ８の画像処理を行う。制御部１は、画像処理後の取得画像データ８に基づき、送信用のジョブ実行用画像データを生成する。制御部１は、予め定められた送信用のファイル形式のデータをジョブ実行用画像データとして生成する。制御部１は、生成した送信用のファイル（ジョブ実行用画像データ）を、通信部６に送信させる。送信ジョブでは、通信部６がジョブ実行部として機能する。
【００２５】
また、プリントジョブのときも、制御部１（画像処理回路１２）は、取得画像データ８の画像処理を行う。制御部１は、画像処理後の取得画像データ８に基づき、ジョブ実行用画像データを生成する。制御部１は、画像形成部５３の印刷に用いることができる画像データをジョブ実行用画像データとして生成する。例えば、制御部１は、網点処理（ハーフトーン処理）された画像データをジョブ実行用画像データとして生成する。制御部１は、生成したジョブ実行用画像データに基づき、印刷部５に印刷させる。プリントジョブでは、画像形成部５３がジョブ実行部として機能する。
【００２６】
（マーク利用モードでの処理）
次に、図３を用いて、実施形態に係る複合機１００でのマーク利用モードでの処理の一例を説明する。図３は、実施形態に係る第１定義データＤ１の一例を示す図である。図４は、実施形態に係る第２定義データＤ２の一例を示す図である。図５は、実施形態に係る複合機１００でのマーク利用モードでの処理の一例を示す図である。
【００２７】
複合機１００では、マーク利用モードを利用することができる。操作パネル４は、マーク利用モードを利用するか否かの選択を受け付ける。操作パネル４でマーク利用モードを利用する選択がなされたとき、制御部１は、マーク利用モードでの処理を行う。
【００２８】
マーク利用モードは、原稿を読み取って得られた画像データ（取得画像データ８）に含まれる第１種類画像７１と第２種類画像７２に基づきジョブを行うモードである。マーク利用モードを利用するとき、制御部１は、取得画像データ８を解析する。そして、制御部１は、第１種類画像７１と第２種類画像７２が取得画像データ８に含まれているか否かを判定する。制御部１は、第１種類画像７１に対応する画像処理を取得画像データ８に行ってジョブ実行用画像データを生成する。また、制御部１は、生成したジョブ実行用画像データに基づき、第２種類画像７２に対応するジョブをジョブ実行部に行わせる。
【００２９】
なお、操作パネル４でマーク利用モードを利用しない選択がなされたとき、制御部１は、通常モードで処理を行う。通常モードでは、取得画像データ８に第１種類画像７１と第２種類画像７２が含まれるか否かを判定しない。操作パネル４でなされた設定に基づき、制御部１（画像処理回路１２）は画像処理を行う。また、制御部１は、操作パネル４で選択された種類のジョブをジョブ実行部に行わせる。
【００３０】
ここで、記憶部２は、第１定義データＤ１と第２定義データＤ２を記憶する。第１定義データＤ１は、第１種類画像７１のデータと、第１種類画像７１に対応する画像処理を定義したデータである。図３は、第１定義データＤ１の一例を示す。図３に示すように、第１定義データＤ１では、複合機１００で使用できる画像処理の種類が定義される。第１種類画像７１は複数定義される。各画像処理に対応する第１種類画像７１の画像データが定義される。図３は、リサイズ（サイズ調整）の画像処理に対応する第１種類画像７１が定義された第１定義データＤ１の一例を示す。他の第１種類画像７１については、後述する。
【００３１】
第２定義データＤ２は、第２種類画像７２のデータと、第２種類画像７２に対応するジョブの種類を定義したデータである。図４は、第２定義データＤ２の一例を示す。図４に示すように、第２定義データＤ２では、実行するジョブの種類が定義される。また、それぞれのジョブに対応する第２種類画像７２の画像データが定義される。図４は、送信ジョブの第２種類画像７２が定義された第２定義データＤ２の一例を示す。他の第２種類画像７２については、後述する。
【００３２】
次に、図５を用いて、マーク利用モードでの処理の流れの一例を説明する。図５のスタートは、マーク利用モードでジョブを開始する時点である。操作パネル４では、マーク利用モードを用いる選択がなされている。
【００３３】
マーク利用モードを用いるとき、使用者は、取得画像データ８に第１種類画像７１と第２種類画像７２が含まれるようにする。原稿を読み取ってジョブを行うとき、使用者は、第１種類画像７１のシールと第２種類画像７２のシールを原稿に貼りつけてもよい。容易にシールを作成できるように、操作パネル４は、第１定義データＤ１に定義された第１種類画像７１と、第２定義データＤ２に定義した第２種類画像７２を印刷する指示を受け付けてもよい。この場合、制御部１は、第１種類画像７１と第２種類画像７２のみを印刷部５に印刷させる。第１種類画像７１と第２種類画像７２を原稿に容易に含めることができる。さらに、操作パネル４は、印刷する第１種類画像７１と第２種類画像７２の選択を受け付けてもよい。これにより、よく使用される種類画像や、特定の種類画像のみをシール用紙に印刷することができる。
【００３４】
また、使用者は、手書きにより、第１種類画像７１と第２種類画像７２を原稿に加えてもよい。さらに、使用者は、第１種類画像７１と第２種類画像７２のスタンプ（判子）を用意してもよい。スタンプを押すだけで、第１種類画像７１と第２種類画像７２を原稿に含めることができる。
【００３５】
コンピューター２００から画像データを送信する場合、使用者は、送信前の画像データに第１種類画像７１と第２種類画像７２を含める。例えば、コンピューター２００には、画像データを編集、加工するためのソフトウェアがインストールされる。使用者は、このソフトウェアを利用して、ジョブのために送信する画像データに、第１種類画像７１と第２種類画像７２を加える。コンピューター２００の操作用のデバイス（例えば、マウス）を用いて、第１種類画像７１と第２種類画像７２を画像データに追加することができる。容易に追加できるようにするため、コンピューター２００は、第１種類画像７１と第２種類画像７２の画像データを記憶してもよい。この場合、記憶された第１種類画像７１と第２種類画像７２の画像データをコピーアンドペーストすることにより、使用者は、画像データに種類画像を加えられる。
【００３６】
まず、制御部１は、取得画像データ８を取得する（ステップ♯１１）。原稿を読み取るとき、制御部１は、セットされた原稿を画像読取部３に読み取らせる。画像読取部３は、原稿の画像データ（取得画像データ８）を生成する。又は、通信部６がコンピューター２００から画像データを取得する。次に、制御部１は取得画像データ８を解析し、第１種類画像７１と第２種類画像７２の両方が含まれているか否かを判定する（ステップ♯１２）。
【００３７】
制御部１（制御回路１１）は、パターンマッチング処理を行って、取得画像データ８に第１種類画像７１が含まれるか否かを判定してもよい。制御部１は、第１定義データＤ１に含まれる第１種類画像７１ごとにパターンマッチング処理を行う。取得画像データ８が第１種類画像７１の画像データとのマッチング率（類似率）が予め定められた閾値以上の部分を含むとき、制御部１は、取得画像データ８は第１種類画像７１を含むと判定する。取得画像データ８が第１種類画像７１を含むと判定したとき、制御部１は、マッチング率（類似率）が最も高い第１種類画像７１を、取得画像データ８に含まれる第１種類画像７１と特定する。
【００３８】
また、制御部１（制御回路１１）は、パターンマッチング処理を行って、取得画像データ８に第２種類画像７２が含まれるか否かを判定してもよい。制御部１は、第２定義データＤ２に含まれる第２種類画像７２の画像データごとにパターンマッチング処理を行う。取得画像データ８が第２種類画像７２の画像データとのマッチング率（類似率）が予め定められた閾値以上の部分を含むとき、制御部１は、取得画像データ８は第２種類画像７２を含むと判定する。取得画像データ８が第２種類画像７２を含むと判定したとき、制御部１は、マッチング率（類似率）が最も高い第２種類画像７２を、取得画像データ８に含まれる第２種類画像７２と特定する。
【００３９】
なお、第１種類画像７１と第２種類画像７２が含まれているか否かを判定しやすくするため、第１種類画像７１と第２種類画像７２に使用する色が予め定められてもよい。第１種類画像７１に用いる色と、第２種類画像７２に用いる色は、同じでもよいし、異なっていてもよい。例えば、第１種類画像７１に赤色、第２種類画像７２に青色を用いるようにしてもよい。
【００４０】
また、操作パネル４は、複数色の中から、第１種類画像７１に用いる色と第２種類画像７２に用いる色の選択を受け付けてもよい。色は複数の中から選択できる。選択した色に対応する画素値の範囲は予め定められる。この場合、制御部１（画像処理回路１２）は、取得画像データ８のうち、選択された色に対応する画素を認識する。制御部１は、選択された色に対応する画素により描かれる図形とのパターンマッチングを行う。
【００４１】
第１種類画像７１と第２種類画像７２の何れか一方、又は、両方を含まないと判定したとき（ステップ♯１２のＮｏ）、制御部１は、警告を表示パネル４１に表示させる（ステップ♯１３）。警告は、種類画像が足りないこと、及び、原稿の再読取を行うべきことを伝えるメッセージである。そして、本フローは終了する（エンド）。ステップ♯１２のＮｏを経てフローが終了したとき、読み取った原稿に基づくジョブは実行されない。制御部１は、ジョブ実行用画像データを生成しない。
【００４２】
第１種類画像７１と第２種類画像７２の両方を含むと判定したとき（ステップ♯１２のＹｅｓ）、制御部１は、第１種類画像７１に対応する画像処理を取得画像データ８に施す(ステップ♯１４)。ここで、第１種類画像７１と第２種類画像７２は、原稿又は画像データに加えられたものである。そこで、取得画像データ８の画像処理のとき、制御部１（画像処理回路１２）は、第１種類画像７１と第２種類画像７２の領域を消去してもよい。例えば、制御部１は、第１種類画像７１と第２種類画像７２を白色に置き換えてもよい。文字や図形のような情報が消えないようにする場合、使用者は、ページ内の余白（原稿又は画像データのうち白い部分）に第１種類画像７１と第２種類画像７２を加えればよい。
【００４３】
続いて、制御部１はジョブ実行用画像データを生成する（ステップ♯１５）。そして、生成したジョブ実行用画像データに基づき、制御部１は、第２種類画像７２に対応するジョブをジョブ実行部に行わせる（ステップ♯１６）。例えば、プリントジョブに対応する第２種類画像７２が取得画像データ８に含まれていた場合、制御部１は、プリントジョブを行わせる。そして、本フローは終了する（エンド）。
【００４４】
（第１種類画像７１）
次に、図６〜図１４を用いて、実施形態に係る第１種類画像７１の一例を説明する。図６〜図１４は、実施形態に係る第１種類画像７１の一例を示す図である。
【００４５】
複合機１００で利用できる画像処理の種類は多数に及ぶ。以下では、その一部と、それらに対応する第１種類画像７１を説明する。なお、以下では、第１種類画像７１が矩形（正方形）の枠を含む図（マーク）である例を説明する。枠はなくてもよい。画像処理の種類により、矩形内のなかみが異なる。
【００４６】
また、画像処理には、取得画像データ８のうち、指定された一部の範囲を対象とするものがある。このような画像処理を用いるとき、使用者は、原稿又は画像データにおいて、画像処理を施したい範囲を指定用の枠（指定枠８０）で囲む。指定枠８０の枠線は矩形でなくてもよい。指定枠８０の枠線は曲線を含んでもよい。手書きで書き込むことにより、指定枠８０を原稿に含めてもよい。制御部１は、取得画像データ８に含まれる指定枠８０を認識する。第１種類画像７１と第２種類画像７２は、指定枠８０に接するように配置される。制御部１は、第１種類画像７１と接する線であって、領域を閉じる線を指定枠８０と認識する。
【００４７】
また、指定枠８０を認識しやすくするため、指定枠８０の枠線に使用する色が予め定められてもよい。操作パネル４は、複数色の中から、指定枠８０の枠線に用いる色の選択を受け付けてもよい。選択できる色に対応する画素値の範囲は予め定められる。この場合、制御部１（画像処理回路１２）は、取得画像データ８のうち、選択された色に対応する画素を認識する。制御部１は、選択された色に対応する画素の線で囲まれた領域を、画像処理を行う範囲として認識する。
【００４８】
（１）リサイズ（サイズ調整）
図６の左端の図形は、リサイズの画像処理の第１種類画像７１を拡大した図である。リサイズの画像処理は、取得画像データ８全体のサイズを拡大、又は、縮小する処理である。図６の中央の図は、リサイズの第１種類画像７１が追加された取得画像データ８の一例を示す。リサイズの画像処理を行いたいとき、使用者は、リサイズに対応する第１種類画像７１を原稿又は画像データに追加する。リサイズの第１種類画像７１は、４本の両矢印を含む。各両矢印の一端が矩形の角と接する。
【００４９】
図６の右端の図は、リサイズの画像処理後の画像データの一例を示す。使用者は、リサイズの第１種類画像７１内に処理用数値７３を含める（加える）ことができる。リサイズの処理用数値７３は、倍率である。制御部１は、リサイズの第１種類画像７１の領域内のＯＣＲ処理を行う。そして、処理用数値７３（倍率、％）が含まれるか否かを判定する。
【００５０】
リサイズの第１種類画像７１が処理用数値７３を含むとき、制御部１（画像処理回路１２）は、取得画像データ８のサイズを、当該処理用数値７３を乗じたサイズに変更する画像処理を行う。図６の左端下段の図に示すように、１２５がリサイズの第１種類画像７１内に書き込まれているとき、制御部１は、取得画像データ８を１２５％に拡大した画像データを生成する。１００％未満の倍率が書き込まれている場合、制御部１は取得画像データ８を縮小した画像データを生成する。
【００５１】
リサイズの第１種類画像７１が処理用数値７３を含まないとき、制御部１（画像処理回路１２）は、取得画像データ８のサイズを、デフォルトの倍率を乗じたサイズに変更する画像処理を行う。図６の左端上段の図に示すように、倍率を示す数値が第１種類画像７１内に書き込まれていないとき、制御部１は、取得画像データ８を縮小したジョブ実行用画像データを生成する（図６の例では、６５％に縮小）。リサイズ処理のデフォルトの倍率は、予め定められる。操作パネル４は、デフォルトの倍率の設定を受け付けてもよい。この場合、制御部１は設定された倍率をデフォルト倍率として、リサイズの画像処理を行う。
【００５２】
（２）デリート（消去）
図７の左端の図形は、デリートの画像処理の第１種類画像７１を拡大した図である。デリートの画像処理は、取得画像データ８のうち、指定枠８０で指定された範囲の内容を消去する（白画素に置き換える）処理である。デリートの画像処理を行いたいとき、使用者は、原稿又は画像データのうち、消去したい範囲を指定枠８０で囲う。使用者は、指定枠８０に接するように、デリートの第１種類画像７１を原稿に追加する。デリートの第１種類画像７１は、×印を含む。
【００５３】
図７の中央の図は、デリートの第１種類画像７１と指定枠８０が追加された取得画像データ８の一例を示す。図７の右端の図は、デリートの画像処理後の画像データ（処理後の取得画像データ８）の一例を示す。制御部１（画像処理回路１２）は、指定された範囲（指定枠８０）の中身を消す画像処理を行う。処理後の取得画像データ８に基づき、制御部１は、ジョブ実行用画像データを生成する。
【００５４】
（３）クロップ
図８の左端の図形は、クロップ（トリミング）の画像処理の第１種類画像７１を拡大した図である。クロップの画像処理は、取得画像データ８のうち、指定枠８０で指定された範囲のみを残す（範囲外の画素を白画素に置き換える）処理である。クロップの画像処理を行いたいとき、使用者は、原稿又は画像データのうち、残したい範囲を指定枠８０で囲う。使用者は、指定枠８０に接するように、クロップの第１種類画像７１を追加する。クロップの第１種類画像７１は、Ｌと逆Ｌを重ねた記号を含む。
【００５５】
図８の中央の図は、クロップの第１種類画像７１と指定枠８０が追加された取得画像データ８の一例を示す。図８の右端の図は、クロップの画像処理後の画像データ（処理後の取得画像データ８）の一例を示す。制御部１（画像処理回路１２）は、指定された範囲（指定枠８０）外を消去する画像処理を取得画像データ８に行う。処理後の取得画像データ８に基づき、制御部１は、ジョブ実行用画像データを生成する。
【００５６】
（４）回転
図９の左端の図形は、回転の画像処理の第１種類画像７１を拡大した図である。回転の画像処理は、取得画像データ８を回転させる処理である。回転の画像処理を行いたいとき、使用者は、回転に対応する第１種類画像７１を原稿又は画像データに追加する。図９の中央の図は、回転の第１種類画像７１が追加された取得画像データ８の一例を示す。回転の第１種類画像７１は、矢印付き半円弧を含む。半円弧のうち、矢印を付す位置により回転の方向を選ぶことができる。時計回り方向の回転を示すように矢印が付されたとき、制御部１は、取得画像データ８を時計回り方向で回転させる。半時計回り方向の回転を示すように矢印が付されたとき、制御部１は、取得画像データ８を反時計回り方向で回転させる。
【００５７】
図９の右端の図は、回転の画像処理後の画像データ（処理後の取得画像データ８）の一例を示す。使用者は、回転の第１種類画像７１内に処理用数値７３を含める（加える）ことができる。回転の処理用数値７３は、角度である。制御部１は、回転の第１種類画像７１の領域内のＯＣＲ処理を行う。そして、制御部１は、第１種類画像７１が処理用数値７３（角度）を含むか否かを判定する。
【００５８】
回転の第１種類画像７１が処理用数値７３を含むとき、制御部１（画像処理回路１２）は、加えられている数値の角度だけ、取得画像データ８を回転する。例えば、図９の左端下段の図に示すように、角度として４５度が第１種類画像７１内に書き込まれているとき、制御部１は、取得画像データ８を時計回りに４５度回転させた画像データを生成する。
【００５９】
回転の第１種類画像７１が処理用数値７３を含まないとき、制御部１（画像処理回路１２）は、デフォルトの角度だけ、取得画像データ８を回転させる。図９の左端上段の図に示すように、角度を示す数値が第１種類画像７１内に書き込まれていないとき、制御部１は、取得画像データ８を時計方向に９０度回転させた画像データを生成する。デフォルトの回転角度は、予め定められる。操作パネル４は、デフォルトの回転角度の設定を受け付けてもよい。この場合、制御部１は、設定された角度をデフォルトの回転角度として、回転の画像処理を行う。
【００６０】
（５）フリップ
図１０の左端の図形は、フリップ（上下反転）の画像処理の第１種類画像７１を拡大した図である。フリップの画像処理は、取得画像データ８全体の上下を反転させる処理である。フリップの画像処理を行いたいとき、使用者はフリップの第１種類画像７１を原稿又は画像データに追加する。フリップの第１種類画像７１は、上向きの矢印と下向きの矢印を含む。上向きの矢印と下向きの矢印は左右方向で並べられる。
【００６１】
図１０の中央の図は、フリップの第１種類画像７１が追加された取得画像データ８の一例を示す。図１０の右端の図は、フリップの画像処理後の画像データ（処理後の取得画像データ８）の一例を示す。処理後の取得画像データ８に基づき、制御部１は、ジョブ実行用画像データを生成する。
【００６２】
（５）ミラー
図１１の左端の図形は、ミラー（左右反転）の画像処理の第１種類画像７１を拡大した図である。ミラーの画像処理は、取得画像データ８全体の左右を反転させる処理である。ミラーの画像処理を行いたいとき、使用者はミラーの第１種類画像７１を原稿に追加する。ミラーの第１種類画像７１は、白抜き三角形と塗りつぶし三角形を含む。各三角形は破線に対して線対称となっている。線対称によりミラー処理がなされることを示す。
【００６３】
図１１の中央の図は、ミラーの第１種類画像７１が追加された取得画像データ８の一例を示す。図１１の右端の図は、ミラーの画像処理後の画像データ（処理後の取得画像データ８）の一例を示す。処理後の取得画像データ８に基づき、制御部１は、ジョブ実行用画像データを生成する。
【００６４】
（６）部分拡大
図１２の左端の図形は、部分拡大の画像処理の第１種類画像７１を拡大した図である。部分拡大の画像処理は、取得画像データ８のうち、指定枠８０で指定された範囲を拡大する処理である。また、部分拡大の画像処理は、指定枠８０で指定された範囲外の内容を消去する（白画素に置き換える）処理でもある。
【００６５】
部分拡大の画像処理を行いたいとき、使用者は、原稿又は画像データのうち、拡大したい、かつ、残したい範囲を指定枠８０で囲う。使用者は、指定枠８０に接するように、部分拡大の第１種類画像７１を原稿に追加する。部分拡大の第１種類画像７１は、＋の記号が付された虫眼鏡を含む。
【００６６】
図１２の中央の図は、部分拡大の第１種類画像７１、及び、指定枠８０が追加された取得画像データ８の一例を示す。図１２の右端の図は、部分拡大の画像処理後の画像データ（処理後の取得画像データ８）の一例を示す。処理後の取得画像データ８に基づき、制御部１は、ジョブ実行用画像データを生成する。
【００６７】
使用者は、部分拡大の第１種類画像７１内に処理用数値７３を含める（加える）ことができる。部分拡大の処理用数値７３は、倍率である。制御部１は、部分拡大の第１種類画像７１の領域内のＯＣＲ処理を行う。そして、処理用数値７３（倍率、％）が含まれるか否かを判定する。
【００６８】
部分拡大の第１種類画像７１が処理用数値７３を含むとき、制御部１（画像処理回路１２）は、指定枠８０内の画像データのサイズを、当該処理用数値７３を乗じたサイズに拡大する画像処理を行う。図１２の左端下段の図に示すように、倍率として２００％が部分拡大の第１種類画像７１内に書き込まれているとき、制御部１は、指定枠８０で囲われている範囲のサイズを２倍に拡大したデータを貼りつけた画像データを生成する。制御部１は、生成した画像データに基づき、ジョブ実行用画像データを生成する。
【００６９】
部分拡大の第１種類画像７１が処理用数値７３を含まないとき、制御部１（画像処理回路１２）は、指定枠８０内の画像データのサイズを、部分拡大のデフォルトの倍率だけ大きくする画像処理を行う。図１２の左端上段の図に示すように、倍率を示す数値が第１種類画像７１内に書き込まれていないとき、制御部１は、指定枠８０で囲われている範囲のサイズを部分拡大のデフォルトの倍率だけ大きくしたデータを貼りつけた画像データを生成する。制御部１は、生成した画像データに基づき、ジョブ実行用画像データを生成する。部分拡大処理のデフォルトの倍率は、予め定められる。操作パネル４は、部分拡大のデフォルトの倍率の設定を受け付けてもよい。この場合、制御部１は、設定された倍率をデフォルトの倍率として処理を行う。
【００７０】
（７）部分縮小
図１３の左端の図形は、部分縮小の画像処理の第１種類画像７１を拡大した図である。部分縮小の画像処理は、取得画像データ８のうち、指定枠８０で指定された範囲を縮小する処理である。また、部分縮小の画像処理は、指定枠８０で指定された範囲外の内容を消去する（白画素に置き換える）処理である。
【００７１】
部分縮小の画像処理を行いたいとき、使用者は、原稿又は画像データのうち、縮小して残したい範囲を指定枠８０で囲う。使用者は、指定枠８０に接するように、部分縮小の第１種類画像７１を原稿又は画像データに追加する。部分縮小の第１種類画像７１は、−（マイナス）の記号が付された虫眼鏡を含む。
【００７２】
図１３の中央の図は、部分縮小の第１種類画像７１、及び、指定枠８０が追加された取得画像データ８の一例を示す。図１３の右端の図は、部分縮小の画像処理後の画像データ（処理後の取得画像データ８）の一例を示す。
【００７３】
使用者は、部分縮小の第１種類画像７１内に処理用数値７３を含める（加える）ことができる。部分縮小の処理用数値７３は、倍率である。制御部１は、部分縮小の第１種類画像７１の領域内のＯＣＲ処理を行う。そして、処理用数値７３（倍率、％）が含まれるか否かを判定する。
【００７４】
部分縮小の第１種類画像７１が処理用数値７３を含むとき、制御部１（画像処理回路１２）は、指定枠８０内の画像データのサイズを、当該処理用数値７３を乗じたサイズに縮小する画像処理を行う。図１３の左端下段の図に示すように、倍率として５０％が部分縮小の第１種類画像７１内に書き込まれているとき、制御部１は、指定枠８０で囲われている範囲のサイズを５０％に縮小したデータを貼りつけた画像データを生成する。制御部１は、生成した画像データに基づき、ジョブ実行用画像データを生成する。
【００７５】
部分縮小の第１種類画像７１が処理用数値７３を含まないとき、制御部１（画像処理回路１２）は、指定枠８０内の画像データのサイズを、部分縮小のデフォルトの倍率だけ大きくする画像処理を行う。図１３の左端上段の図に示すように、倍率を示す数値が第１種類画像７１内に書き込まれていないとき、制御部１は、指定枠８０で囲われている範囲のサイズを部分縮小のデフォルトの倍率だけ小さくしたデータを貼りつけた画像データ生成する。制御部１は、生成した画像データに基づき、ジョブ実行用画像データを生成する。部分縮小処理のデフォルトの倍率は、予め定められる。操作パネル４は、部分縮小のデフォルトの倍率の設定を受け付けてもよい。この場合、制御部１は、設定された倍率をデフォルトの倍率として処理を行う。
【００７６】
（８）ハイライト
図１４の左端の図形は、ハイライト（文字強調）の画像処理の第１種類画像７１を拡大した図である。ハイライトの画像処理は、指定された部分の文字の背景色を変換し、文字を強調させる処理である。ハイライトの画像処理を行いたいとき、使用者はハイライトの第１種類画像７１を原稿に追加する。ハイライトの第１種類画像７１は、Ｈの文字を含む。
【００７７】
ハイライトの画像処理を行うとき、使用者は、ハイライトの第１種類画像７１を少なくとも２箇所、原稿又は画像データに追加する。使用者は、ハイライトを付したい行の先頭と末尾を挟むように、ハイライトの第１種類画像７１を加える。
【００７８】
図１４の中央の図は、ハイライトの第１種類画像７１が追加された取得画像データ８の一例を示す。図１４の右端の図は、ハイライトの画像処理後の画像データ（処理後の取得画像データ８）の一例を示す。制御部１は、取得画像データ８のうち、ハイライトの第１種類画像７１に挟まれた範囲を認識する。例えば、制御部１は、認識した範囲に含まれる高濃度画素（文字を構成する画素）を所定の低濃度画素（例えば、白）に変換する。また、制御部１は、認識した範囲に含まれる低濃度画素（背景の画素）を所定の高濃度画素（例えば、黒や濃紺）に変換する。
【００７９】
（第２種類画像７２）
次に、図１５〜図１９を用いて、実施形態に係る第２種類画像７２の一例を説明する。図１５、図１７、図１９は、実施形態に係る第２種類画像７２の一例を示す図である。図１６は、実施形態に係る保存先定義データＤ３の一例を示す図である。図１８は、実施形態に係る送信先定義データＤ４の一例を示す図である。
【００８０】
複合機１００で実行できるジョブの種類は複数ある。実行するジョブの種類を選ぶため、使用者は、原稿又は画像データに第２種類画像７２を含める（図６〜図１４参照）。以下、第２種類画像７２と対応するジョブの種類を説明する。なお、以下では、第２種類画像７２が矩形（正方形）の枠を含む図（マーク）である例を説明する。枠はなくてもよい。ジョブの種類により、矩形内のなかみが異なる。
【００８１】
（１）保存ジョブ
図１５は、ジョブの種類として保存ジョブを選ぶときに用いる第２種類画像７２である。取得画像データ８に基づき保存ジョブを行いたいとき、使用者は保存ジョブに対応する第２種類画像７２を原稿又は画像データに追加する。保存ジョブの第２種類画像７２は、１本の下向き矢印を含む。
【００８２】
保存ジョブの第２種類画像７２内に保存先記号７４を含める（加える）ことができる。保存先記号７４は予め定められる。保存先記号７４は予め定められる。保存先記号７４は保存先を指定（設定）するための記号である。
【００８３】
記憶部２は、保存先定義データＤ３を記憶する（図１６参照）。保存先データには、保存先を指定するための保存先記号７４と、保存先記号７４に対応する保存場所のアドレス（パス）が定義されている。制御部１は保存先記号７４に対応する保存場所のアドレスで示されるフォルダーにジョブ実行用画像データを記憶させる。
【００８４】
操作パネル４は、保存先記号７４の選択と、選択した保存先記号７４に対応する保存場所のアドレス（パス）の設定を受け付けてもよい。この場合、制御部１は、選択された保存先記号７４と入力された保存場所のアドレスの組み合わせを保存先定義データＤ３として記憶部２に記憶させる。選択された保存先記号７４と入力された保存場所のアドレスは関連づけられる。
【００８５】
保存先記号７４は１文字でもよい。図１５の右側の図は、保存先記号７４がアルファベットのＡの１文字である例を示す。また、保存先記号７４は１桁の数字でもよい。保存先記号７４は２桁の数字でもよい。また、保存先記号７４は１つの記号でもよい（例えば、♯、！）。
【００８６】
制御部１は、取得画像データ８に含まれる第２種類画像７２が保存先記号７４を含むか否かを判定する。制御部１は、第２種類画像７２の領域内のＯＣＲ処理を行う。そして、保存先記号７４が含まれるか否かを判定する。
【００８７】
第２種類画像７２が保存先記号７４を含むと判定したとき、制御部１は、保存先記号７４に対応するアドレスの保存場所に、ジョブ実行用画像データを保存させる。図１５の左側の図に示すように、保存先記号７４を加えなくてもよい。第２種類画像７２が保存先記号７４を含まないと判定したとき、制御部１は、予め定められたデフォルトの保存場所にジョブ実行用画像データを保存させる。操作パネル４は、デフォルトの保存場所の設定を受け付けてもよい。この場合、制御部１は、設定された（入力された）保存場所（パス）をデフォルトの保存場所のアドレスとして記憶部２に記憶させる。
【００８８】
（２）送信ジョブ
図１７は、ジョブの種類として送信ジョブを選ぶときに用いる第２種類画像７２である。取得画像データ８に基づき送信ジョブを行いたいとき、使用者は送信ジョブに対応する第２種類画像７２を原稿又は画像データに追加する。送信ジョブの第２種類画像７２は、手紙の図柄を含む。
【００８９】
送信ジョブの第２種類画像７２内に送信先記号７５を含める（加える）ことができる。送信先記号７５は予め定められる。送信先記号７５は予め定められる。送信先記号７５は送信先を指定（設定）するための記号である。
【００９０】
記憶部２は、送信先定義データＤ４を記憶する（図１８参照）。送信先データには、送信先を指定する送信先記号７５と、送信先記号７５に対応する送信先アドレスが定義されている。送信先アドレスとして、電子メールアドレスや、通信可能なコンピューター２００のフォルダーや、ファクシミリ番号が定義され得る。制御部１は送信先記号７５に対応する送信先アドレスに向けて、ジョブ実行用画像データを通信部６に送信させる。
【００９１】
操作パネル４は、送信先記号７５の選択と、選択した送信先記号７５に対応する送信先アドレス（パス）の設定を受け付けてもよい。この場合、制御部１は、選択された送信先記号７５と入力された送信先アドレスの組み合わせを送信先定義データＤ４として記憶部２に記憶させる。選択された送信先記号７５と入力された送信先アドレスは関連づけられる。送信先記号７５は、１文字でもよい。図１７の右側の図は、送信先記号７５がアルファベットのＤの１文字である例を示す。また、送信先記号７５は１桁の数字でもよい。送信先記号７５は２桁の数字でもよい。また、送信先記号７５は１つの記号でもよい（例えば、♯、！）。
【００９２】
制御部１は、取得画像データ８に含まれる第２種類画像７２が送信先記号７５を含むか否かを判定する。制御部１は、第２種類画像７２の領域内のＯＣＲ処理を行う。そして、送信先記号７５が含まれるか否かを判定する。
【００９３】
第２種類画像７２が送信先記号７５を含むと判定したとき、制御部１は、送信先記号７５に対応する送信先アドレスに、ジョブ実行用画像データを送信させる。なお、図１７の左側の図に示すように、使用者は送信先記号７５を必ずしも加えなくてもよい。第２種類画像７２が送信先記号７５を含まないと判定したとき、制御部１は、予め定められたデフォルトの送信先に向けて、ジョブ実行用画像データを通信部６に送信させる。例えば、共有のデータ蓄積用フォルダーをデフォルトの送信先と設定することができる。設定操作パネル４は、デフォルトの送信先の設定を受け付けてもよい。この場合、制御部１は、設定された（入力された）送信先アドレス（パス）をデフォルトの送信先のアドレスとして記憶部２に記憶させる。
【００９４】
（３）プリントジョブ
図１９は、ジョブの種類としてプリントジョブを選ぶときに用いる第２種類画像７２である。取得画像データ８に基づきプリントジョブを行いたいとき、使用者はプリントジョブに対応する第２種類画像７２を原稿又は画像データに追加する。プリントジョブの第２種類画像７２は、ＰＲＩＮＴの文字列を含む。
【００９５】
プリントジョブの第２種類画像７２内に部数値７６を含める（加える）ことができる。部数値７６は印刷部数を指定（設定）するための数字である。使用者は希望する部数を第２種類画像７２内に加える。図１９の右側の図は、部数値７６として数字の４を書き込んだ例を示す。
【００９６】
制御部１は、取得画像データ８に含まれる第２種類画像７２が部数値７６を含むか否かを判定する。制御部１は、第２種類画像７２の領域内のＯＣＲ処理を行う。プリントジョブの第２種類画像７２に数字が含まれているとき、制御部１は、部数値７６を含むと判定する。数字が含まれていないとき、制御部１は、部数値７６を含まないと判定する。
【００９７】
第２種類画像７２が部数値７６を含むと判定したとき、制御部１は、部数値７６の部数の印刷を印刷部５に行わせる。第２種類画像７２が部数値７６を含まないと判定したとき、又は、部数値７６として１が記入されているとき、制御部１は、１部を印刷部５に印刷させる。
【００９８】
（変形例）
次に、図２０を用いて、変形例に係る複合機１００の一例を説明する。図２０は、変形例に係る複合機１００を説明するための図である。
【００９９】
ジョブに用いる原稿又は画像データに第１種類画像７１と第２種類画像７２を含める例を説明した。変形例では、専用の用紙、又は、画像データを用いて、マーク利用モードの使用を開始できるようにする例を説明する。なお、変形例に係る複合機１００は、操作パネル４を含まない以外、上述の実施形態に係る複合機１００と同様の構成（ハードウェア）でよい。
【０１００】
製造コストや販売価格の低減の観点から操作パネル４が設けられない画像処理装置もある。つまり、画像処理装置には、操作パネル４を有さないものがある。このような画像処理装置では、マーク利用モードを利用するか否かの選択を操作パネル４で行うことができない。
【０１０１】
そこで、変形例の画像処理装置では、モード開始画像９１を含む原稿を読み取ったとき、制御部１は、マーク利用モードでの処理を行う。モード開始画像９１は、通常モードを停止し、マーク利用モードの利用を開始するための画像である。モード開始画像９１は予め定められる。記憶部２は、モード開始画像９１の画像データを記憶する。
【０１０２】
また、変形例の画像処理装置では、モード停止画像９２を含む原稿を読み取ったとき、制御部１は、マーク利用モードでの処理を行わない。制御部１は、通常モードでジョブを実行する。モード停止画像９２は、マーク利用モードを停止し、通常モードの利用を開始するための画像である。モード開始画像９１は予め定められる。記憶部２は、モード開始画像９１の画像データを記憶する。
【０１０３】
操作パネル４がなくても、通常、原稿読み取りを開始するためのスタートボタン（ハードキー４３）は設けられる。スタートボタンが操作されたとき、制御部１は、原稿の読み取りを開始する。そして、制御部１は、取得画像データ８を生成する。制御部１は、取得画像データ８を解析する。
【０１０４】
制御部１は、取得画像データ８がモード開始画像９１を含むか否かを判定する。また、制御部１は、モード停止画像９２を含むか否かを判定する。制御部１は、パターンマッチング処理を行って、取得画像データ８がモード開始画像９１又はモード停止画像９２を含むか否かを判定してもよい。
【０１０５】
制御部１は、モード開始画像９１の画像データとのマッチング率（類似率）が予め定められた閾値以上の部分が取得画像データ８に含まれるか否かを確認する。閾値以上の部分を含むとき、制御部１は、取得画像データ８はモード開始画像９１を含むと判定する。この場合、制御部１は、マーク利用モードを開始する。マーク利用モード中、制御部１は、第１種類画像７１と第２種類画像７２を含むか否かを判定する。
【０１０６】
また、制御部１は、モード停止画像９２の画像データとのマッチング率（類似率）が予め定められた閾値以上の部分が取得画像データ８に含まれるか否かを確認する。閾値以上の部分を含むとき、制御部１は、取得画像データ８はモード停止画像９２を含むと判定する。この場合、制御部１は、通常モードを開始する。通常モード中、制御部１は、第１種類画像７１と第２種類画像７２を含むか否かを判定しない。
【０１０７】
図２０のうち、左側の図は、モード開始画像９１を含む原稿の一例を示す。右側の図はモード停止画像９２を含む原稿の一例を示す。各画像は重ねられた三角形と四角を含む。三角形は進行（利用）を意味する。四角形は停止を意味する。そのため、モード開始画像９１では、三角形は四角形よりも上層側に配される。モード開始画像９１では、三角形は四角形よりも下層側に配される。
【０１０８】
実施形態又は変形例に係る画像処理装置（複合機１００）は、取得部（画像読取部３、通信部６）、ジョブ実行部（記憶部２、通信部６、印刷部５）、記憶部２、制御部１を含む。取得部は、画像データを取得する。ジョブ実行部はジョブを実行する。記憶部２は、第１定義データＤ１と第２定義データＤ２を記憶する。制御部１は、第１定義データＤ１と第２定義データＤ２に基づき、取得部が取得した取得画像データ８が第１種類画像７１と第２種類画像７２を含むか否かを判定する。第１定義データＤ１は、第１種類画像７１のデータと、第１種類画像７１に対応する画像処理を定義したデータである。第２定義データＤ２は、第２種類画像７２のデータと、第２種類画像７２に対応するジョブの種類を定義したデータである。取得画像データ８に第１種類画像７１と第２種類画像７２が含まれている場合、制御部１は、第１種類画像７１に対応する画像処理を取得画像データ８に行ってジョブ実行用画像データを生成する。制御部１は、生成したジョブ実行用画像データに基づき、第２種類画像７２に対応するジョブをジョブ実行部に行わせる。
【０１０９】
使用者は、使用したい画像処理に対応する第１種類画像７１（マーク）を原稿又は画像データに加えればよい。第１種類画像７１を加えるだけで所望の画像処理を画像処理装置に行わせることができる。また、使用者は、実行したいジョブの種類に対応する第２種類画像７２（マーク）を原稿に加えればよい。第２種類画像７２を加えるだけで所望のジョブを画像処理装置に行わせることができる。操作パネル４や携帯通信装置のような設定用の装置を操作しなくても、画像処理装置が行うべき動作を命令することができる。また、第１種類画像７１と第２種類画像７２の原稿への追加は、手書きで行ってもよい。容易に第１種類画像７１と第２種類画像７２を追加することができる。
【０１１０】
記憶部２はジョブ実行部である。記憶部２は、保存先を指定する保存先記号７４と、保存先記号７４に対応する保存場所のアドレスを記憶する。取得画像データ８が保存ジョブに対応する第２種類画像７２を含む場合、取得画像データ８に含まれる第２種類画像７２が保存先記号７４を含むとき、制御部１は、ジョブ実行用画像データを保存先記号７４に対応する保存場所に保存させる。取得画像データ８に含まれる第２種類画像７２が保存先記号７４を含まないとき、制御部１は、予め定められたデフォルトの保存場所にジョブ実行用画像データを保存させる。マークを加えるだけで、所望の画像処理後の画像データを記憶（保存）することができる。また、保存先記号７４を加えるだけで、希望する保存先に画像データを記憶させることができる。また、デフォルトの保存先に画像データを記憶させることもできる。保存場所のアドレスを細かく設定しなくても、所望の保存場所に画像データを記憶させることができる。
【０１１１】
画像処理装置はジョブ実行部として通信部６を含む。記憶部２は送信先を示す送信先記号７５と、送信先記号７５に対応する送信先アドレスを記憶する。取得画像データ８が送信ジョブに対応する第２種類画像７２を含む場合、取得画像データ８に含まれる第２種類画像７２が送信先記号７５を含むとき、制御部１は、送信先記号７５に対応する送信先アドレスを宛先として、ジョブ実行用画像データを通信部６に送信させる。取得画像データ８に含まれる第２種類画像７２が送信先記号７５を含まないとき、制御部１は、予め定められたデフォルトの送信先に向けて、ジョブ実行用画像データを通信部６に送信させる。マークを加えるだけで、所望の画像処理後の画像データを送信することができる。マーク（第２種類画像７２）に記号を加えるだけで、希望する送信先に画像データを送信することができる。また、デフォルトの送信先に画像データを送信することもできる。送信先のアドレスを細かく設定しなくても、所望の送信先に画像データを送信することができる。
【０１１２】
画像処理装置はジョブ実行部として印刷部５を含む。取得画像データ８がプリントジョブに対応する第２種類画像７２を含む場合、取得画像データ８に含まれる第２種類画像７２に印刷部数を示す部数値７６が含まれているとき、制御部１は、ジョブ実行用画像データに基づき部数値７６の部数の印刷を印刷部５に行わせる。取得画像データ８に含まれる第２種類画像７２に部数値７６が含まれていないとき、制御部１は、ジョブ実行用画像データに基づき１部の印刷を印刷部５に行わせる。マーク（第２種類画像７２）に部数を示す数字を加えるだけで、所望の画像処理後の画像データに基づく印刷を行うことができる。希望どおりの加工がなされた印刷物を得ることができる。
【０１１３】
取得画像データ８に含まれる第１種類画像７１が処理用数値７３を含むとき、制御部１は、処理用数値７３を適用した画像処理を取得画像データ８に施す。取得画像データ８に含まれる第１種類画像７１が処理用数値７３を含まないとき、制御部１は、予め定められたデフォルトの処理内容の画像処理を行う。第１種類画像７１に数字を加えるだけで、書き込んだ数字に対応する画像処理を画像処理装置に行わせることができる。
【０１１４】
画像処理装置は、第１種類画像７１と第２種類画像７２に基づきジョブを行うマーク利用モードを利用するか否かの選択を受け付ける操作パネル４を含む。マーク利用モードを利用する選択がなされているとき、制御部１は、第１種類画像７１に対応する画像処理を取得画像データ８に行ってジョブ実行用画像データを生成する。生成したジョブ実行用画像データに基づき、制御部１は、第２種類画像７２に対応するジョブをジョブ実行部に行わせる。マーク利用モードを利用しない選択がなされているとき、制御部１は、取得画像データ８が第１種類画像７１と第２種類画像７２を含むか否かを判定しない。マーク利用モードを有効化しているときのみ、第１種類画像７１に対応する画像処理を行うようにすることができる。また、マーク利用モードを有効化しているときのみ、第２種類画像７２に対応するジョブを行うようにすることができる。第１種類画像７１と第２種類画像７２を解析してジョブを実行するか否かを選択することができる。
【０１１５】
制御部１は、取得画像データ８が、モード開始画像９１を含むか否かを判定する。モード開始画像９１を含むとき、マーク利用モードの処理を開始する。マーク利用モードでは、制御部１は、第１種類画像７１に対応する画像処理を行ってジョブ実行用画像データを生成する。生成したジョブ実行用画像データに基づき、制御部１は第２種類画像７２に対応するジョブをジョブ実行部に行わせる。使用者は、モード開始画像９１を含む原稿を読み取らせるだけで、マーク利用モードを開始することができる。モード開始画像９１を含む原稿の読み取りを、マーク利用モードの開始のトリガーとすることができる。操作パネル４を含まない画像処理装置でも、容易にマーク利用モードを用いることができる。
【０１１６】
画像処理装置は表示パネル４１を含む。取得画像データ８が第１種類画像７１と第２種類画像７２の何れか一方、又は、両方を含まない場合、制御部１は、取得画像データ８の再取得を促す警告を表示パネル４１に表示させる。どのような画像処理を行うかを判定できないとき、画像データの再取得（再読取）を促すことができる。また、どの種類のジョブを行うかを判定できないときも、画像データの再取得（再読取）を促すことができる。
【０１１７】
本発明の実施形態を説明したが、本発明の範囲はこれに限定されるものではなく、発明の主旨を逸脱しない範囲で種々の変更を加えて実施することができる。
【産業上の利用可能性】
【０１１８】
本発明は、画像処理装置に利用可能である。
【符号の説明】
【０１１９】
１００  複合機（画像処理装置）          １      制御部
２      記憶部（ジョブ実行部）          ３      画像読取部（取得部）
４      操作パネル                      ４１    表示パネル
５      印刷部（ジョブ実行部）          ６      通信部（取得部、ジョブ実行部）
７１    第１種類画像                    ７２    第２種類画像
７３    処理用数値                      ７４    保存先記号
７５    送信先記号                      ７６    部数値
９１    モード開始画像                  Ｄ１    第１定義データ
Ｄ２    第２定義データ
【図１】
2020057921.tif 000003
【図２】
2020057921.tif 000004
【図３】
2020057921.tif 000005
【図４】
2020057921.tif 000006
【図５】
2020057921.tif 000007
【図６】
2020057921.tif 000008
【図７】
2020057921.tif 000009
【図８】
2020057921.tif 000010
【図９】
2020057921.tif 000011
【図１０】
2020057921.tif 000012
【図１１】
2020057921.tif 000013
【図１２】
2020057921.tif 000014
【図１３】
2020057921.tif 000015
【図１４】
2020057921.tif 000016
【図１５】
2020057921.tif 000017
【図１６】
2020057921.tif 000018
【図１７】
2020057921.tif 000019
【図１８】
2020057921.tif 000020
【図１９】
2020057921.tif 000021
【図２０】
2020057921.tif 000022